(57)【要約】【課題】印字ジョブ実行中に、それぞれのクライアントからの印字ジョブ指令を割り込みでできる複合機を提供する。【解決手段】プリンタ、スキャナ、コピー、ファクシミリ送受信機能を備えた複合機Ｆにおいて、ネットワークプリンタとして、割り込みモードに設定され、印字ジョブが実行された後は自動的に割り込みモードを解除する構成とした。【選択図】図１
2004015542.tif 000002
【特許請求の範囲】
【請求項１】
プリンタ、スキャナ、コピー、ファクシミリ送受信機能を備えた複合機において、
ネットワークプリンタとして、割り込みモードに設定され、印字ジョブが実行された後は自動的に割り込みモードを解除する構成とした複合機。
【請求項２】
プリンタ、スキャナ、コピー、ファクシミリ送受信機能を備えた複合機において、
ネットワークプリンタとして、割り込みモードに設定され、印字ジョブが実行された後は、所定時間が経過した後に、自動的に割り込みモードを解除する構成とした複合機。
【請求項３】
請求項２において、
上記割り込みモードによって印字ジョブが実行され、所定時間が経過するまでの間に、新たな印字ジョブを受け付けたときには、その印字ジョブを実行した後に、更に所定時間経過した後に、自動的に割り込みモードを解除する構成とした複合機。
【請求項４】
請求項２または請求項３において、
上記プリンタ機能のみを割り込み設定とすることを特徴とする複合機。
【発明の詳細な説明】
【０００１】
【発明の属する技術分野】
本発明は、プリンタ、コピー、ファクシミリ送受信機能を備えた複合機の改良に関する。
【０００２】
【従来の技術】
従来より、オフィスなどにおいては、プリンタ、コピー、ファクシミリ送受信機能を備えた複合機が広く使用されている。また、近時においては、ＬＡＮなどの通信ネットワークを通じてクライアントよりデータを受け付け、そのデータも印字出力されるようにしている。
【０００３】
【発明が解決しようとする課題】
ところが、上記した従来の複合機では、印字ジョブは受付順に行われている。すなわち、コピー処理、ファクシミリ受信、クライアントからの印字指令の順にて印字ジョブの指示があれば、その順に行われるため、各々の印字中に他の急ぎのデータをクライアントから印字させたい場合にも、そうすることができず、不便であった。
【０００４】
本発明は、上記事情を考慮してなされたものであり、印字ジョブ実行中に、それぞれのクライアントからの印字ジョブ指令を割り込みでできる複合機を提供することを目的としている。
【０００５】
【課題を解決するための手段】
上記目的を達成するために、本発明の請求項１に記載の複合機では、プリンタ、スキャナ、コピー、ファクシミリ送受信機能を備えた複合機において、ネットワークプリンタとして、割り込みモードに設定され、印字ジョブが実行された後は自動的に割り込みモードを解除する構成とした。
【０００６】
請求項２に記載の複合機では、プリンタ、スキャナ、コピー、ファクシミリ送受信機能を備えた複合機において、ネットワークプリンタとして、割り込みモードに設定され、印字ジョブが実行された後は、所定時間が経過した後に、自動的に割り込みモードを解除する構成とした。
【０００７】
請求項３に記載の複合機では、割り込みモードによって印字ジョブが実行され、所定時間が経過するまでの間に、新たな印字ジョブを受け付けたときには、その印字ジョブを実行した後に、更に所定時間経過した後に、自動的に割り込みモードを解除する構成とした。
【０００８】
請求項４に記載の複合機では、プリンタ機能のみを割り込み設定とする。
【０００９】
【発明の実施の形態】
以下に、本発明の実施の形態について、図面とともに説明する。
【００１０】
図１は、本発明の複合機の要部構成の一例を示す図である。
【００１１】
このファクシミリ装置Ｆは、以下の各部を制御するＭＰＵ１と、電話回線Ｌに対する接続制御をするＮＣＵ２と、ファクシミリ通信に必要な各種信号を変復調するモデム３と、原稿を読み取り画像データを形成するスキャナ４と、画像データを予めセットされた記録紙に印字出力するプリンタ５と、このファクシミリ装置Ｆが動作するために必要な各種プログラムなどを記憶するＲＯＭ６と、短縮ダイヤルなどを記憶するＲＡＭ７と、画像データを一時格納する画像メモリ８と、画像データの符号化、復号をするコーデック９と、液晶画面などで構成される表示部１０と、各種操作キーなどで構成される操作部１１と、１ないし複数のクライアント（不図示）を接続するためのＬＡＮインタフェース１２とを備える。
【００１２】
このファクシミリ装置Ｆは、以下の処理をすることに特徴がある。これについて、図２のフローチャートとともに説明する。
【００１３】
すなわち、このファクシミリ装置Ｆでは、コピー処理、ファクシミリ受信時、あるクライアントからの印字ジョブ指令を受けた際における印字ジョブ実行中に、そのクライアントを含めたいずれかのクライアントからの割り込み印字ジョブ指令があったときには（１００）、ファクシミリ装置Ｆは、割り込みモードを実行し（１０１）、指令を受けた印字ジョブを実行し（１０２）、実行完了すればその割り込みモードを解除する（１０３）。
【００１４】
このような割り込みモードをファクシミリ装置Ｆに実行させるため、各クライアントでは、図３に示すモード設定画面２０にて、割り込みモードを実行させるか否かを設定するようにしている。
【００１５】
すなわち、このモード設定画面２０では、印字ジョブ指令時に、通常モードを実行させるか、割り込みモードを実行させるかが選択設定でき、通常モード選択欄２１をチェックすれば、ファクシミリ装置Ｆでは受けたジョブ指令を先着順に処理する一方、割り込みモード選択欄２２をチェックすれば、ファクシミリ装置Ｆでは割り込みモードが実行される。
【００１６】
また、ファクシミリ装置Ｆでは、以下の処理もするようになっている。これについて、図４のフローチャートとともに説明する。
【００１７】
ここでは、ファクシミリ装置Ｆは、コピー処理、ファクシミリ受信時、あるクライアントからの印字ジョブ指令を受けた際における印字ジョブ実行中に、そのクライアントを含めたいずれかのクライアントからの割り込み印字ジョブ指令があったときには（２００）、ファクシミリ装置Ｆは、割り込みモードを実行し（２０１）、割り込み解除タイマーをリセットする（２０２）。なお、割り込み解除タイマーは、ここでは、ＭＰＵ内に内蔵されている。
【００１８】
そして、ファクシミリ装置Ｆは、指令を受けた印字ジョブを実行し（２０３）、先述のリセットした割り込み解除タイマーをスタートする（２０４）。そのタイマーによる時間計測中に、割り込みのあったクライアントと同一の通信アドレス（ＩＰアドレスやユーザＩＤなど）、すなわち、そのクライアントと同一のクライアントから通常の印字ジョブ指令があれば（２０５）、ステップ２０２に戻って、その印字ジョブを優先して実行する（２０６）。
【００１９】
一方、タイマーによる時間計測中、所定時間内に通常の印字ジョブ指令がなかったときには（２０６）、実行していた割り込みモードを解除して通常モードに移行する（２０７）。
【００２０】
このような割り込みモードをファクシミリ装置Ｆに実行させるため、各クライアントでは、図３に示すモード設定画面２０’にて、割り込みモードを実行させるか否かを設定するようにしている。
【００２１】
すなわち、このモード設定画面２０’では、先述の画面２０（図３参照）に、割り込みモード実行から解除までの所定時間をも、時間設定欄２３への入力によって設定できるようにしており、ファクシミリ装置Ｆは、入力された設定時間に基づいて、図４のステップ２０６に示す処理を行う。
【００２２】
なお、本ファクシミリ装置Ｆでは、割り込みプリント実行中には、スキャナ機能には影響を与えない。すなわち、スキャナ機能には、ネットワークスキャナ機能、ＦＡＸ送信原稿の読み取り、コピー原稿の読み取りなどがあるが、割り込みプリント実行中でもこれらの機能が何ら問題なく実行できる。
【００２３】
【発明の効果】
以上説明したように、本発明の請求項１に記載の複合機では、ネットワークプリンタとして、割り込みモードに設定され、印字ジョブが実行された後は自動的に割り込みモードを解除するので、印字ジョブ実行中に、それぞれのクライアントからの印字ジョブ指令を割り込みででき、また、割り込みの解除が自動的に行われるため、割り込みモードの解除指示操作が不要となり、割り込み解除を忘れることがなく、使い勝手がよい。
【００２４】
請求項２に記載の複合機では、ネットワークプリンタとして、割り込みモードに設定され、印字ジョブが実行された後は、所定時間が経過した後に、自動的に割り込みモードを解除するので、所定時間内は、割り込みモードが継続されるため、続けて割り込み印字ジョブをかけたい場合に、わざわざ割り込み指示をかける必要なく、通常の印字ジョブ指示でそのジョブを優先して実行させることができ、便利である。
【００２５】
請求項３に記載の複合機では、割り込みモードによって印字ジョブが実行され、所定時間が経過するまでの間に、印字ジョブを受け付けたときには、その印字ジョブを実行した後に、更に所定時間経過した後に、自動的に割り込みモードを解除するので、一旦割り込みモードを実行させた後は、優先して印字させたいデータがあれば、通常のジョブ指令で次々と優先して印字させることができる。
【００２６】
また、優先して印字させたいデータがなくなれば所定時間放置しておけば自動的に割り込みモードから通常モードへと切り替わるため、割り込みモードの解除指示操作が不要となり、割り込み解除を忘れることがなく、使い勝手がよい。
【００２７】
請求項４に記載の複合機では、プリンタ機能のみを割り込み設定とするので、割り込みプリント実行中でも何ら影響を受けることなく、スキャナによる原稿読取をすることができ、使い勝手がよい。
【図面の簡単な説明】
【図１】本発明の複合機の要部構成の一例を示す図である。
【図２】複合機の動作の一例を示すフローチャートである。
【図３】クライアントにおけるモード設定画面の構成の一例を示す図である。
【図４】複合機の動作の一例を示すフローチャートである。
【図５】クライアントにおけるモード設定画面の構成の他例を示す図である。
【符号の説明】
Ｆ・・・ファクシミリ装置（複合機）
【図１】
2004015542.tif 000003
【図２】
2004015542.tif 000004
【図３】
2004015542.tif 000005
【図４】
2004015542.tif 000006
【図５】
2004015542.tif 000007